(57)【要約】【課題】  塗布体上に付着させる内容物量のコントロールを容易にするとともに、塗布しやすさおよび化粧の仕上げの微調整を可能とする塗布具付き容器の提供。【解決手段】  シゴキ部を備えた容器本体と、先端に塗布体が形成された軸部を備えた蓋体とからなり、前記塗布体は少なくとも二つの塗布面を備えるとともに、該二つの塗布面の形状が、前記塗布体の横断面でみたときに互いに非点対称となるように形成されていることを特徴とする化粧料用塗布体付き容器。【選択図】  図７
2008012177.tif 000002
【特許請求の範囲】
【請求項１】
シゴキ部を備えた容器本体と、先端に塗布体が形成された軸部を備えた蓋体とからなり、前記塗布体は少なくとも二つの塗布面を備えるとともに、該二つの塗布面の形状が、前記塗布体の横断面でみたときに互いに非点対称となるように形成されていることを特徴とする化粧料用塗布体付き容器。
【請求項２】
前記二つの塗布面が、互いに曲率の異なる凹状に形成されている請求項第１項記載の化粧料用塗布体付き容器。
【請求項３】
前記二つの塗布面のうち、一の塗布面は凹状に、その反対側の塗布面は平坦に形成されている請求項第１項記載の化粧料用塗布体付き容器。
【請求項４】
前記二つの塗布面のうち、一の塗布面は凹状に、その反対側の塗布面は凸状に形成されている請求項第１項記載の化粧料用塗布体付き容器。
【請求項５】
前記二つの塗布面のうち、一の塗布面は凹状に形成され、その反対側の塗布面は平坦部および凹状部によって構成されている請求項第１項記載の化粧料用塗布体付き容器。
【請求項６】
前記塗布体が先端に向って徐々に薄くなっていく形状に形成されている請求項第１項ないし第５項の何れかの項記載の化粧料用塗布体付き容器。
【請求項７】
前記塗布体が二つの塗布面と該塗布面の両側を形成する側部からなり、前記側部の一方が前記塗布体の中間から先端にかけて該塗布体の中心線方向に斜めに切り欠かれた形状である請求項第１項ないし第６項の何れかの項記載の化粧料用塗布体付き容器。
【請求項８】
前記側部の一方が塗布体の中間から先端にかけて塗布体の中心線方向に斜めに、且つ、多段階に切り欠かれた形状である請求項第１項ないし第６項の何れかの項記載の化粧料用塗布体付き容器。
【請求項９】
前記側部の一方が塗布体の外方向に膨出し、その膨出部から先端にかけて塗布体の中心線方向に斜めに切り欠かれ形状である請求項第１項ないし第６項の何れかの項記載の化粧料用塗布体付き容器。
【請求項１０】
前記塗布体の両側部が互いに異なる厚さに形成されている請求項第１項ないし第９項の何れかの項記載の化粧料用塗布体付き容器。
【請求項１１】
塗布体の一部または全部に静電植毛が施されている請求項第１項ないし第１０項の何れかの項記載の化粧料用塗布体付き容器。
【請求項１２】
前記二つの塗布面のうち、一の塗布面には静電植毛が施されており、その反対側の塗布面には静電植毛が施されていない請求項第１項ないし第１１項の何れかの項記載の化粧料用塗布体付き容器。
【請求項１３】
前記二つの塗布面のうち、一の塗布面に施された静電植毛の繊維の長さと、その反対側の塗布面に施された静電植毛の繊維の長さが、互いに異なる請求項第１項ないし第１１項の何れかの項記載の化粧料用塗布体付き容器。
【発明の詳細な説明】
【技術分野】
【０００１】
本発明は、粘性液状化粧料用容器に関し、更に詳細には、液状ないしペースト状の粘性のある化粧料を充填すると共に、必要な部位に塗布しやすい塗布体を一体化してなる化粧料用塗布体付き容器に関する。
【背景技術】
【０００２】
液状ないしペースト状の粘性のある化粧料、例えばリップグロス、リップカラー、リップオーバーコート、アイカラー、マニキュア、トップコート、マスカラ等の粘性液状化粧料の容器としては、従来、キャップに嵌合させた軸の先に刷毛ないしはチップ等、別パーツの塗布体を付けたものが多い。
【０００３】
例えば、キャップの内側に刷毛を付け、キャップを開けると同時にこの刷毛で化粧料を塗布できるようにした化粧料容器は既に広く使用されており、特許文献１には、ポリエステル系エラストマーにより成形された板状（ヘラ状）の塗布体を取り付けた粘性液状化粧料用容器が開示されている。
【０００４】
また、特許文献２には、薄肉状（ヘラ状）塗布部の片面に植毛した化粧料塗布体が開示されている。
【０００５】
さらに、特許文献３には、ヘラないしスパチェラ様の塗布具（アプリケータ）で、凹状の表面を形成しながら先端部に向かって徐々に先細りである、リップ用等の化粧品用の塗布具が開示されている。
【０００６】
これら従来の塗布体は、通常の棒状塗布具に比べて粘性液状の内容物（化粧料、軟膏等）の塗り易さを改善するために、その形状を平板状断面形状に形成し塗布面の面積を広くしている。
【０００７】
しかしながら、このような形状の塗布体は、一回の塗布量をある程度限定するため容器内に設けられたシゴキ部で余分な内容物をこそぎ落とした場合、塗布体上に付着する内容物の量をコントロールしにくく、特に内容物の粘度が低くて流れ易いものに対しては、内容物が粘着力でシゴキ部に付着しすぎるため、塗布体上への付着量が減少して化粧効果を著しく低下させることがあった。即ち、従来品のような平板状断面形状の塗布体では、塗布体上に適量の内容物を付着させることが困難な場合があった。
【０００８】
また、内容物がシゴキ部によりしごかれた後においても、更に容器の口元で塗布体に付着した内容物を拭いすぎたり、逆に、拭わずに内容物が塗布部位に付着し過ぎるなど、塗布具上の内容物量のコントロールに熟練の技が必要であった。そして、容器の口元で塗布体に付着した内容物を拭う場合には、自ずと口元の付近には内容物が堆積し、蓋体を閉めたときに、その堆積した内容物が外部に漏出して容器体を汚すおそれもあった。
【０００９】
【特許文献１】特開２００１−１６１４３４
【特許文献２】特開２００６−０９４８９２
【特許文献３】特開２００６−０９５３１０
【発明の開示】
【発明が解決しようとする課題】
【００１０】
そこで本発明は、塗布体上に付着させる内容物量のコントロールを容易にするとともに、塗布しやすさおよび化粧の仕上げの微調整を可能とする塗布具付き容器の提供をその課題とするものである。
【課題を解決するための手段】
【００１１】
本発明は、上記課題を解決するものであり、シゴキ部を備えた容器本体と、先端に塗布体が形成された軸部を備えた蓋体とからなり、前記塗布体は少なくとも二つの塗布面を備えるとともに、該二つの塗布面の形状が、前記塗布体の横断面でみたときに互いに非点対称となるように形成されていることを特徴とする化粧料用塗布体付き容器である。
【発明の効果】
【００１２】
本発明の容器で用いられる塗布体は、塗布し易さと、適度な量の内容物を塗布することができる塗布量のコントロールを両立することができ、塗布動作に特に熟練を要さないため、初めて使用する場合であっても内容物をきれいに塗布することができる。
【００１３】
また、塗布体が厚さの厚い部分と薄い部分を有する態様のものは、薄い部分の柔軟性が塗布部位への押圧力をやわらげ、塗布動作によって適量を塗布部位に残しながら塗布体が移動するため、更に塗り易い。また、塗布後に厚さの厚い側部で内容物を拭き取ることができ、更に厚さの薄い先端部分でかき取ることができるため、化粧の微調整が可能である。
【発明を実施するための最良の形態】
【００１４】
以下、本発明の化粧料用塗布体付き容器の実施態様を、図面に基づいて具体的に説明する。なお、本発明はこれら実施態様に何ら制約されるものではない。
【００１５】
図１は本発明に係る化粧料用塗布体付き容器を開けた状態の斜視図、図２は本発明に係る化粧料用塗布体付き容器の塗布体収納時の断面図である。図中、１は容器本体を、２は蓋体を、３は軸部を、４は塗布体を、１１はシゴキ部を、１２は開口部をそれぞれ示す。
【００１６】
図１に示すように、本実施態様の化粧料用塗布体付き容器は、容器本体１と、軸部３を備えた蓋体２で構成され、軸部３の先端側には塗布体４が設けられている。図１は、蓋体２を容器本体１から外し、軸部３を完全に容器本体１内から引き抜いた状態、すなわち、使用時の状態を示している。
【００１７】
図２は、軸部３を容器本体１内に収納し、蓋体２を容器本体１に嵌合した状態を示している。本発明のような、粘性液状化粧料用容器で特徴的なのは、容器本体１の口元付近にシゴキ部１１が形成されている点であり、使用の際に軸部３を容器本体１内から引き抜くときに、このシゴキ部１１で塗布体４に付着した余分な化粧料をこそぎ落として、塗布体の付着量を調整することを可能とする。しかし、シゴキ部１１のみで塗布体への付着量の加減を細かく調整することは容易ではないため、更に、塗布体４に付着した化粧料を開口部１２で拭い落とす場合もある。
【００１８】
図３は塗布体４の拡大図であり、図３中、（ａ）は正面図、（ｂ）は側面図、（ｃ）はＡ−Ａ’断面図、（ｄ）はＢ−Ｂ’断面図をそれぞれ示す。図中、４１と４２は塗布面を、４３は塗布体側部をそれぞれ示す。図３の（ｃ）および（ｄ）に示すとおり、塗布面４１および４２はそれぞれ凹状に形成されているが、塗布面４１よりも塗布面４２のほうが曲率の大きい凹状に形成されており、その断面形状でみると塗布面４１側と塗布面４２側とが非点対称となっている。さらに、図３の（ｂ）に示すように、塗布体４を側面から見たときに、先端に向って徐々に薄くなっている。
【００１９】
次に、本実施態様にかかる化粧料用塗布体付き容器の使用方法を具体的に説明する。通常使用する場合は、塗布面４２、すなわち、凹みの大きい方にたまった化粧料を皮膚に塗布する。通常よりも少なめに塗布したい場合は、塗布面４１、すなわち、凹みの小さい方を使用する。また、皮膚に多く塗付しすぎた時は、側部４３の丸みを帯びた凸部分で余分に塗布した化粧料を拭き取るようにする。もともと側部４３は軸部３を容器本体１内から引き抜くときに容器体内のシゴキ部１１で拭われるため、化粧料はほとんど付着されていない。
【００２０】
図４は、塗布体４の塗布面の形状における別の実施態様を示す断面図である。図４の（ａ）の態様のものは、塗布面４１が平坦に形成され、塗布面４２が凹状に形成されているタイプのものである。また、図４の（ｂ）の態様のものは、塗布面４１が凸状に形成され、塗布面４２が凹状に形成されているタイプのものである。これらのタイプのものも、通常使用する場合は、塗布面４２、すなわち、凹みの大きい方にたまった化粧料を塗布し、通常よりも少なめに塗布したい場合は、塗布面４１、すなわち、平坦もしくは凸状に形成されたほうの塗布面を使用する。なお、凸状に形成された塗布面は平坦に形成された塗布面よりも凸起状になっているため、化粧料の付着が少ない。よって、よりうす付きの仕上がりにしたい時に有効な形状である。さらに、これら塗布面の形状は、一の塗布面において複数の形状の組み合わせで構成しても良く、例えば、塗布体４の手元側から中程までは平坦に、当該部分から先端部までは凹状に形成してもよい。
【００２１】
図５は、塗布体４の両側部４３が互いに異なる厚さに形成されているタイプの実施態様を示す断面図である。図５中、（ａ）は、塗布面４１と塗布面４２は同じ曲率の凹状に形成されているが、両側部４３の厚さが異なるため、１８０度軸回転させた場合の断面形状は元の形状と異なる、すなわち、非点対称に形成されている。このタイプのものも、基本的な使用方法は、図３のタイプのものと変わるところはないが、更に繊細な仕上げを行う場合は、皮膚に付きすぎた化粧料を、側部のうすい方でかき取るようにして微調整ができる。また、図５中、（ｂ）ないし（ｄ）のものは、両側部４３が互いに異なる厚さに形成されているタイプのもので、さらに両塗布面が、図５の（ｂ）では凸状と凹状の組み合わせ、図５の（ｃ）では異なる曲率の凹状の組み合わせ、図５の（ｄ）では平坦と凹状の組み合わせのものである。
【００２２】
図６は、塗布体４の正面形状におけるいくつかの実施態様を示す正面図である。図６中、（ａ）の態様のものは、塗布体４の両側部４３が塗布体４の先端近傍から先端部にかけて先細りになる形状、図６中、（ｂ）の態様のものは、両側部４３のうち、一方の側部が塗布体４の途中からその中心線に向かって斜めに切り欠かれた形状、図６中、（ｃ）の態様のものは、一方の側部が塗布体の途中からその中心線に向かって斜めに、且つ、多段階に切り欠かれた形状、図６中、（ｄ）の態様のものは、一方の側部が塗布体の中心線から外側に向かって膨出し、その途中から塗布体の中心線に向かって斜めに切り欠かれた形状となっている。
【００２３】
塗布体４の形状は、上述の断面形状、正面形状を任意に組み合わせることができ、化粧料の粘度、流動特性、塗布体素材との親和性など、内容物の物性に応じてその組み合わせを決めればよい。例えば、図８はその組み合わせの一例であり、塗布体４の正面形状は図６の（ｃ）の態様であり、塗布面４１は凸状に、塗布面４２は凹状に形成されている。さらに、多段階に切り欠かれた方の側部４３が、反対側の側部４３よりも薄い厚さに形成されている。また、こうした組み合わせのなかで、特に好ましい態様を図７に示す。この態様では、塗布体４の正面形状は図６の（ｄ）の態様であり、塗布面４１は平坦に、塗布面４２は凹状に形成されている。さらに、塗布体４の中心線から外側に向かって膨出している方の側部４３が、反対側の側部４３よりも薄い厚さに形成されている。図７や図８の態様のように、塗布体４の側部４３の厚さが両側で異なる態様のものは、塗布面４１、４２の使い分けで化粧料の量を調整できるだけでなく、側部４３の薄いほうの柔軟性が塗布部位への押圧力をやわらげ塗布動作によって適量を塗布部位に残しながら塗布体が移動するため、塗り易さが向上する。また、塗布後に厚さの厚い側部４３で化粧料を拭き取ることができ、更に厚さの薄い先端部分でかき取ることができるため、化粧の微調整が可能である。
【００２４】
塗布体４と軸部３は、互いに異なる材質や異なる物性（硬度・弾力性・内容物に対する親和性等）の材料で形成してもよいし、両者を一体成形で形成してもよい。塗布体４の素材としては、特に制約はないが、例えば、ポリエチレン、ポリプロピレン、ポリエチレンテレフタレート、ナイロン、ポリウレタン、ポリアクロルニトリルブタジエンスチレン、ポリスチレン、ポリアクリロニトリルブタジエンゴム、ポリスチレンブタジエンゴム、ポリイソプレン、シリコンゴム等のプラスチックやゴム類、更に、ポリエステル系、ウレタン系、オレフィン系、ポリカーボネート系等のエラストマーを使用することができる。ポリエステル系のエラストマーとしては、例えば、ハイトレル（登録商標）Ｇ３５４８Ｌ、ペルプレン（登録商標）Ｐ３０Ｂ、ペルプレン（登録商標）Ｐ４０Ｂ、ウレタン系のエラストマーとしては、例えば、東洋紡ウレタン（登録商標）Ｅ−３０９０Ａ、東洋紡ウレタン（登録商標）Ｅ−３０７０Ａ、パンデックス（登録商標）Ｔ−８１９０、オレフィン系のエラストマーとしては、例えば、サーリンク（登録商標）３１７０、ポリカーボネート系のエラストマーとしては、例えば、パンデックス（登録商標）Ｔ―９２９０を利用することができる。
【００２５】
塗布体４にはその一部もしくは全部に静電植毛を施してもよく、一部に静電植毛する場合は、例えば、二つの塗布面のうちの一の塗布面のみに施してもよい。さらに、静電植毛の繊維の長さを部分的に変えても良く、例えば、二つの塗布面のうち、一の塗布面に施された静電植毛の繊維の長さと、その反対側の塗布面に施された静電植毛の繊維の長さが互いに異なるようにしてもよい。静電植毛することにより、植毛面への化粧料の含みが良くなり、塗布体上への化粧料の付着量を少ないものから多いものまでより広範囲で設定することができるとともに、塗布しやすさも向上する。
【００２６】
静電植毛用の繊維として、使用可能なものであれば特に限定されないが、例としてはナイロン、ポリエステル、アクリル、ビニロン、ポリプチレンテフタレート等の合成繊維、レーヨン、アセテート等の再生繊維、羊毛、絹、綿、麻等の天然繊維等が挙げられる。または、天然海綿、コットンスポンジ等の微細粒子を用いることもできる。繊維の形状としては、長さ０．５〜２ｍｍ、太さ０．０１〜０．１ｍｍのものが好ましく、さらに好ましくは、長さ０．５〜１．５ｍｍ、太さ０．０１〜０．０６ｍｍである。
【産業上の利用可能性】
【００２７】
本発明にかかる塗布体付き容器は、化粧料の分野のみならず、医薬品、接着剤、塗料などの粘性液状の内容物を充填し、塗布するための容器への応用も期待できるものであるが、塗布量のコントロールと塗布後の微調整のしやすさから、リップグロス、リップカラー、リップオーバーコート、アイカラー、マニキュア、トップコート、マスカラ等の化粧料用として用いたときに特に有用な効果を享受できる。
【図面の簡単な説明】
【００２８】
【図１】本発明に係る化粧料用塗布体付き容器の斜視図。
【図２】本発明に係る化粧料用塗布体付き容器の軸部を容器本体内に収納し、蓋体を容器本体に嵌合した状態を示す断面図。
【図３】（ａ）は、本発明に係る化粧料用塗布体付き容器の塗布体の拡大正面図。（ｂ）は、本発明に係る化粧料用塗布体付き容器の塗布体の拡大側面図。（ｃ）は、図３（ａ）のＡ−Ａ’断面図。（ｄ）は、図３（ａ）のＢ−Ｂ’断面図。
【図４】本発明に係る化粧料用塗布体付き容器の塗布体の塗布面形状における別の実施態様を示す断面図。
【図５】本発明に係る化粧料用塗布体付き容器の塗布体の塗布面形状における別の実施態様を示す断面図。
【図６】本発明に係る化粧料用塗布体付き容器の塗布体の正面形状における別の実施態様を示す正面図。
【図７】（ａ）は、本発明に係る化粧料用塗布体付き容器の塗布体の別の実施態様の拡大正面図。（ｂ）は、図７（ａ）の側面図。（ｃ）は、図７（ａ）のＡ−Ａ’断面図。（ｄ）は、図７（ａ）のＢ−Ｂ’断面図。（ｅ）は、図７（ａ）のＣ−Ｃ’断面図。
【図８】（ａ）は、本発明に係る化粧料用塗布体付き容器の塗布体の別の実施態様の拡大正面図。（ｂ）は、図８（ａ）の側面図。（ｃ）は、図８（ａ）のＡ−Ａ’断面図。（ｄ）は、図８（ａ）のＢ−Ｂ’断面図。（ｅ）は、図８（ａ）のＣ−Ｃ’断面図。
【符号の説明】
【００２９】
１  …  …  容器本体
２  …  …  蓋体
３  …  …  軸部
４  …  …  塗布体
１１  …  …  シゴキ部
１２  …  …  開口部
４１  …  …  塗布面
４２  …  …  塗布面
４３  …  …  側部
以    上
【図１】
2008012177.tif 000003
【図２】
2008012177.tif 000004
【図３】
2008012177.tif 000005
【図４】
2008012177.tif 000006
【図５】
2008012177.tif 000007
【図６】
2008012177.tif 000008
【図７】
2008012177.tif 000009
【図８】
2008012177.tif 000010